(57)【要約】本発明の撮像用ファントムは、生体組織の光学的特性を模擬した光学的特性を有する本体と、該本体に設けられ、生体組織に存在するフラクタル性を有する組織構造を模擬したフラクタル構造を有する構造体（３）とを備える。
2017191825.tif 000002
【特許請求の範囲】
【請求項１】
生体組織の光学的特性を模擬した光学的特性を有する本体と、
該本体に設けられ、前記生体組織に存在するフラクタル性を有する組織構造を模擬したフラクタル構造を有する構造体とを備える撮像用ファントム。
【請求項２】
前記本体が、積層された少なくとも２つの層を有し、
該少なくとも２つの層は、光散乱特性および光吸収特性の少なくとも一方が互いに異なる請求項１に記載の撮像用ファントム。
【請求項３】
前記構造体が、少なくとも１つの前記層の内部に埋め込まれている請求項２に記載の撮像用ファントム。
【請求項４】
前記組織構造が、血管走行構造である請求項１から請求項３のいずれかに記載の撮像用ファントム。
【請求項５】
前記本体の光学的特性が、血液の吸収スペクトルを模擬している請求項１から請求項４のいずれかに記載の撮像用ファントム。
【請求項６】
前記構造体が、ランダム性を有するフラクタル構造を含む請求項１から請求項５のいずれかに記載の撮像用ファントム。
【請求項７】
前記構造体が、自然物を含む請求項１から請求項６のいずれかに記載の撮像用ファントム。
【請求項８】
前記自然物が、葉脈である請求項７に記載の撮像用ファントム。
【請求項９】
請求項１から請求項８のいずれかに記載の撮像用ファントムを光学撮像装置で撮影し、取得された画像を表示する光学撮像装置の評価方法。
【請求項１０】
相互に異なるスペクトルを有する複数の光を前記撮像用ファントムに照射して撮影し、
前記複数の光のそれぞれに対して、前記少なくとも２つの層の光散乱特性および光吸収特性の少なくとも一方が異なる請求項９に記載の光学撮像装置の評価方法。
【発明の詳細な説明】
【技術分野】
【０００１】
本発明は、撮像用ファントムおよび光学撮像装置の評価方法に関するものである。
【背景技術】
【０００２】
従来、生体用の光学撮像装置の性能評価やデモンストレーションにおいて、生体を模擬したファントムが被写体として使用されている（例えば、特許文献１，２参照。）。特許文献１に記載のファントムは、生体組織の層構造を模擬するために、互いに異なる光学的特性を有する２つの層から構成されている。特許文献２に記載のファントムには、血管を模擬した構造体が設けられている。
【先行技術文献】
【特許文献】
【０００３】
【特許文献１】特開２００２−２９１７２９号公報
【特許文献２】特表２００８−５４１８２９号公報
【発明の概要】
【発明が解決しようとする課題】
【０００４】
実際の生体内に存在する組織構造は複雑な構造を有する。例えば、粘膜内の血管網は、動静脈、細動静脈および毛細血管等の太さの異なる多数の血管から形成されている。例えば、医師は、内視鏡画像から、組織構造の見えに基づいて組織の正常性や異常性を認知し判別する。しかしながら、観察者が撮像画像を通して生体組織らしいと認知できるような組織構造の見えを模擬した撮像用ファントムは存在しない。例えば、特許文献１のファントムには、組織構造を模擬した構造体は設けられていない。特許文献２のファントムの構造体は、実際の血管網に比べて非常に単純化されていて生体組織らしい見えに欠ける。したがって、特許文献１，２のファントムを使用したのでは、実際の生体の観察時の光学撮像装置の性能を、実際に生体を観察する際により近い見えに基づいて正確に評価することができないという問題がある。【０００５】
本発明は、上述した事情に鑑みてなされたものであって、撮像画像によって生体内の組織構造の見えをリアルに模擬することができる撮像用ファントムとこれを用いた光学撮像装置の評価方法を提供することを目的とする。
【課題を解決するための手段】
【０００６】
上記目的を達成するため、本発明は以下の手段を提供する。
本発明の第１の態様は、生体組織の光学的特性を模擬した光学的特性を有する本体と、該本体に設けられ、前記生体組織に存在するフラクタル性を有する組織構造を模擬したフラクタル構造を有する構造体とを備える撮像用ファントムである。
本発明の第１の態様によれば、生体組織内の組織構造が構造体によって模擬され、組織構造の周辺組織が構造体の周囲の本体によって模擬される。この場合に、構造体のフラクタル構造によって複雑な組織構造の見えがリアルに模擬された撮像画像を得ることができる。【０００７】
上記第１の態様においては、前記本体が、積層された少なくとも２つの層を有し、該少なくとも２つの層は、光散乱特性および光吸収特性の少なくとも一方が互いに異なっていてもよい。
このようにすることで、複数の層から構成される生体組織を少なくとも２つの層によって模擬することができる。これにより、実際の生体組織と同じような見え方（例えば、色味、コントラスト）を再現することができる。【０００８】
上記第１の態様においては、前記構造体が、少なくとも１つの前記層の内部に埋め込まれていてもよい。
このようにすることで、生体組織の内部に存在する組織構造の見え（例えば、色味、コントラスト、鮮鋭度）を、層内の構造体によってリアルに再現することができる。【０００９】
上記第１の態様においては、前記組織構造が、血管走行構造であってもよい。
フラクタル性を有する血管走行構造は、構造体によって模擬する組織構造として好適である。
上記第１の態様においては、前記本体の光学的特性が、血液の吸収スペクトルを模擬していてもよい。
このようにすることで、生体組織の見えをさらにリアルに模擬することができる。【００１０】
上記第１の態様においては、前記構造体が、ランダム性を有するフラクタル構造を含んでいてもよい。
生体内の組織構造のフラクタル性には、ランダム性が存在する。したがって、ランダム性を有する構造体のフラクタル構造によって、組織構造の見えをさらにリアルに模擬することができる。【００１１】
上記第１の態様においては、前記構造体が、自然物を含んでいてもよい。
自然界に存在するフラクタル構造を構造体として利用することによって、生体内のランダム性を有するフラクタル構造の見えをさらにリアルに模擬することができる。特に、自然物が葉脈である場合には、血管の分岐構造および走行の見えをさらにリアルに模擬することができる。【００１２】
本発明の第２の態様は、第１の態様に係る撮像用ファントムを光学撮像装置で撮影し、取得された画像を表示する光学撮像装置の評価方法である。
本発明の第２の態様によれば、生体組織が有する光学的特性と組織構造が有するフラクタル構造とを模擬した撮像用ファントムを光学撮像装置によって撮影することによって、実際の生体組織を観察しているときと同じような画像が得られる。このような画像に基づいて、実際の生体組織の観察時の光学撮像装置の性能を正確に評価することができる。
上記第２の態様においては、相互に異なるスペクトルを有する複数の光を前記撮像用ファントムに照射して撮影し、前記複数の光のそれぞれに対して、前記少なくとも２つの層の光散乱特性および光吸収特性の少なくとも一方が異なっていてもよい。
【発明の効果】
【００１３】
本発明によれば、撮像画像によって生体内の組織構造の見えをリアルに模擬することができるという効果を奏する。
【図面の簡単な説明】
【００１４】
【図１】本発明の一実施形態に係る撮像用ファントムの全体構成図である。
【図２】図１の撮像用ファントムに設けられる構造体を示す図である。
【図３】図２のＡ−Ａ線、Ｂ−Ｂ線、Ｃ−Ｃ線およびＤ−Ｄ線における線状構造の横断面を示す図である。
【図４】図２のＡ−Ａ線、Ｂ−Ｂ線、Ｃ−Ｃ線およびＤ−Ｄ線における線状構造の横断面の変形例を示す図である。
【図５】構造体のフラクタル構造の変形例を示す図である。
【図６】構造体のフラクタル構造のもう１つの変形例を示す図である。
【図７】構造体のフラクタル構造のもう１つの変形例を示す図である。
【図８】構造体のフラクタル構造のもう１つの変形例を示す図である。
【図９】構造体のフラクタル構造のもう１つの変形例を示す図である。
【図１０】構造体のフラクタル構造のもう１つの変形例を示す図である。
【図１１】構造体の光学的特性の変形例を示す図である。
【図１２】ランダム性を有する構造体のフラクタル構造の変形例を示す図である。
【図１３】ランダム性を有する構造体のフラクタル構造のもう１つの変形例を示す図である。
【図１４】ランダム性を有する構造体のフラクタル構造のもう１つの変形例を示す図である。
【図１５】ランダム性を有する構造体のフラクタル構造のもう１つの変形例を示す図である。
【図１６】ランダム性を有する構造体のフラクタル構造のもう１つの変形例を示す図である。
【図１７】構造体の配置の変形例を示す図である。
【図１８】本体および構造体の他の変形例を示す図である。
【図１９】図１８の撮像用ファントムを撮影して取得された葉脈の画像である。
【図２０】構造体の配置の他の変形例を示す図である。
【図２１】構造体の他の変形例を示す図である。
【図２２】図２１のＥ−Ｅ線における構造体の横断面を示す図である。
【発明を実施するための形態】
【００１５】
以下に、本発明の一実施形態に係る撮像用ファントム１について図面を参照して説明する。
本実施形態に係る撮像用ファントム１は、生体組織を模擬したファントムであり、図１に示されるように、本体２と、該本体２に設けられ生体組織に存在する組織構造を模擬した構造を有する構造体３とを備えている。
【００１６】
本体２は、互いに直交する横方向（Ｘ方向）、縦方向（Ｙ方向）および高さ方向（Ｚ方向）を有する直方体状であり、高さ方向に積層された２つの層４１，４２を有する。第１の層４１および第２の層４２はそれぞれ、均一な厚さを有する。なお、本体２の形状は、直方体状に限定されるものではなく、他の任意の形状（例えば、板状または柱状）であってもよい。
【００１７】
第１の層４１および第２の層４２は、生体組織を構成する層（例えば、粘膜層や筋層）と同一または類似の光学的特性を有し、かつ、互いに異なる光学的特性を有する。このような２つの層４１，４２によって生体組織の層構造を模擬することができる。
【００１８】
具体的には、第１の層４１および第２の層４２は、可視光の波長範囲において約０．１ｍｍ−１以上５ｍｍ−１以下の光散乱係数をそれぞれ有する。第１の層４１および第２の層４２は、血液の吸収スペクトルを模擬した光吸収特性を有し、可視光の波長範囲において約０ｍｍ−１を超え２０ｍｍ−１以下の光吸収係数をそれぞれ有する。
第１の層４１および第２の層４２は、光散乱係数（光散乱特性）および光吸収係数（光吸収特性）のうち少なくとも一方が互いに異なっている。第２の層４２の光散乱係数は、第１の層４１の光散乱係数よりも大きいことが好ましい。第２の層４２の光吸収係数は、第１の層４１の光吸収係数よりも大きいことが好ましい。
【００１９】
構造体３は、同一平面上において互いに連結された多数の線状構造からなる２次元構造を有し、全体として薄く平たい形状を有する。構造体３は、第１の層４１の内部に埋め込まれている。また、構造体３は、第１の層４１の、第２の層４２とは反対側の表面から構造体３までの深さが一定となるように、第１の層４１および第２の層４２と略平行に配置されている。構造体３は、第１の層４１および第２の層４２とは異なる光学的特性を有する。
【００２０】
構造体３の２次元構造は、生体内に存在するフラクタル性を有する組織構造を模擬した、自己相似性を有するフラクタル構造を有する。フラクタル性を有する組織構造としては、例えば、血管網、肺、および気管支が挙げられる。本実施形態の構造体３は、１本の血管からより細い複数の血管への分岐を繰り返す血管網の血管走行構造を模擬している。
【００２１】
具体的には、構造体３は、図２に示されるように、１本の直線が一端（分岐位置）において複数本（図示する例では３本）の直線に分岐するというパターンが、少なくとも１方向に縮小されながら繰り返される構造を有している。つまり、構造体３は、１つの分岐位置から延びる複数本の直線からなる形状をそれぞれ有し、かつ、少なくとも一方向において互いにスケールが異なる複数の基本パターンＰ１，Ｐ２，Ｐ３，Ｐ４を含む。フラクタル構造を構成する複数の基本パターンＰ１，Ｐ２，Ｐ３，Ｐ４の形状は、完全に相似であってもよく、互い類似した形状であってもよい。
【００２２】
図２に例示されている基本パターンＰ１，Ｐ２，Ｐ３，Ｐ４においては、分岐位置から延びる複数本の直線が互いに平行である。また、基本パターンＰ１，Ｐ２，Ｐ３は、分岐する度に（図２において右に行くほど）、複数本の直線の間隔が狭くなる方向（Ｙ方向）のみに縮小されており、基本パターンＰ４は、Ｘ方向およびＹ方向の両方に縮小されている。
【００２３】
図３は、図２のＡ−Ａ線、Ｂ−Ｂ線、Ｃ−Ｃ線およびＤ−Ｄ線における線状構造３ｂ，３ｃ，３ｄ，３ｅの横断面を示している。図３に示されるように、基本パターンＰ１，Ｐ２，Ｐ３，Ｐ４のスケールが縮小するのに伴って、線状構造３ｂ，３ｃ，３ｄ，３ｅの幅（直径）および断面も縮小する。線状構造３ｂ，３ｃ，３ｄ，３ｅの横断面形状は、図３に示されるように円形であってもよく、図４に示されるように多角形（例えば四角形）であってもよく、他の任意の形状であってもよい。ただし、全ての線状構造３ａ，３ｂ，３ｃ，３ｄ，３ｅ，３ｆの横断面形状が同一であることが好ましい。
【００２４】
次に、このように構成された撮像用ファントム１を用いた光学撮像装置の評価方法について説明する。
本実施形態に係る撮像用ファントム１は、内視鏡のような生体用の光学撮像装置の画像性能の評価やデモンストレーションにおいて、実際の生体組織の代わりに被写体として使用される。撮像用ファントム１は、第１の層４１が上側に、第２の層４２が下側に位置するように配置され、第１の層４１側から光学撮像装置によって観察される。光学撮像装置によって取得された撮像用ファントム１の画像（ファントム画像）は、ディスプレイに表示される。ユーザは、ディスプレイに表示されたファントム画像に基づいて光学撮像装置の画像性能を評価することができる。
【００２５】
この場合に、本実施形態に係る撮像用ファントム１は、実際の生体組織と類似した幾何学的構造および光学的特性を有し、組織構造と該組織構造の周辺組織の見えをリアルに模擬している。したがって、あたかも実際の生体組織を観察しているかのような認知が得られるファントム画像がディスプレイに表示される。ユーザは、このようなファントム画像に基づいて、実際の生体組織を観察したときの光学撮像装置の画像性能を正確に評価することができるという利点がある。
【００２６】
具体的には、互いに異なる光学的特性を有する２つの層４１，４２からなる本体２は、構造体３が模擬している組織構造の周辺組織の層構造の光学的特性を模擬しているので、ファントム画像において、実際の生体組織を観察しているときと同じような色味およびコントラストが再現される。特に、撮像用ファントム１を、より低い光散乱係数および光吸収係数を有する第１の層４１側から光学撮像装置によって撮影することにより、実際の生体組織の層構造を表面側から観察したときと同じような見えがファントム画像内においてリアルに再現される。したがって、ファントム画像に基づいて、実際の生体組織の観察時の光学撮像装置の画像性能、特に色分解能を正確に評価することができる。
【００２７】
また、構造体３は、線状構造３ａ，３ｂ，３ｃ，３ｄ，３ｅ，３ｆの太さおよび密度が異なる複数の基本パターンＰ１，Ｐ２，Ｐ３，Ｐ４を含み、１本の線状構造から複数本のより細い線状構造への分岐を繰り返す分岐構造を有している。このようなフラクタル構造を有する構造体３によって、実際の血管網における血管の分岐構造の見えがリアルに模擬される。さらに、構造体３が層４１内に埋め込まれていることによって、生体組織（例えば、粘膜）の内部に存在する組織構造の見えがファントム画像内においてリアルに再現される。したがって、ファントム画像に基づいて、実際の生体組織の観察時の光学撮像装置の画像性能、特に空間分解能を正確に評価することができる。
【００２８】
ファントム画像を取得する際に、相互に異なるスペクトルを有する複数の光を撮像用ファントム１に照射してもよい。このときに、複数の光に対する層４１，４２の光散乱特性および光吸収特性の少なくとも一方が相互に異なるように、撮像用ファントム１に照射する光のスペクトルを選択することが好ましい。
【００２９】
本実施形態においては、構造体３が、１本の直線から複数本の直線への分岐を繰り返すフラクタル構造を有することとしたが、これに代えて、他のフラクタル構造を有していてもよい。図５から図８は、構造体３のフラクタル構造の変形例を示している。
【００３０】
図５に示されるフラクタル構造は、１つの五角形の環状線と該環状線の各角から外側へ１本ずつ延びる直線とからなる基本パターンを有し、環状線の中に、縮小された基本パターンが嵌め込まれている。図６に示されるフラクタル構造は、１つの四角形の環状線と、該環状線の各角から外側へ２本ずつ延びる直線とからなる基本パターンを有し、環状線の中に縮小された基本パターンが嵌め込まれている。したがって、図５および図６のフラクタル構造は、環状線の角に分岐構造を含み、血管の分岐構造の特徴の見えをリアルに模擬することができる。最も外側に位置する基本パターンにおいては、角から延びる直線を省略してもよい。本変形例においては、四角形および五角形以外の多角形の環状線を用いてもよい。
【００３１】
図７に示されるフラクタル構造は、三角形の環状線からなる基本パターンを有し、環状線の中に、縮小された基本パターンが１８０°回転して嵌め込まれている。図８に示されるフラクタル構造は、六方格子状に配列された７つの円形の環状線からなる基本パターンを有し、各環状線の中に縮小された基本パターンが嵌め込まれている。図７および図８のフラクタル構造は、粘膜の微細模様（いわゆるピットパターン）の見えをリアルに模擬することができる。
【００３２】
本実施形態においては、構造体３が２次元構造を有することとしたが、これに代えて、図９および図１０に示されるように、３次元構造を有していてもよい。図９および図１０においては、図を簡略にするために、フラクタル構造の一部分のみを図示している。
図９に示されるフラクタル構造は、立方体の辺からなる基本パターンを有し、立方体の中に、Ｘ、ＹおよびＺ方向に縮小された複数の基本パターンがＸ、ＹおよびＺ方向に配列されている。
図１０に示されるフラクタル構造は、Ｚ方向の長手軸を有する多角柱（図示する例では五角柱）の辺からなる基本パターンを有し、多角柱の中に、ＸおよびＹ方向に縮小された複数の基本パターンがＸおよびＹ方向に配列されている。
【００３３】
本実施形態においては、構造体３が、全体にわたって均一な光学的特性を有することとしたが、これに代えて、図１１に示されるように、構造体３が、互いに異なる光学的特性を有する複数の区画Ｉ，ＩＩ，ＩＩＩに区分されていてもよい。例えば、区画Ｉ，ＩＩ，ＩＩＩは、血液濃度の違いを模擬するように、異なる光吸収係数を有していてもよい。
図１１の構造体３によれば、光学的特性の異なる同一種類の組織構造の見え方の違いを表現するために必要な光学撮像装置の画像性能（例えば、色分解能）を、ファントム画像に基づいて評価することができる。
【００３４】
本実形態においては、構造体３は、線状構造３ａ，３ｂ，３ｃ，３ｄ，３ｅ，３ｆの角度、太さ、サイズ等の構造パラメータが規則的に変化するフラクタル構造を有することとしたが、これに代えて、図１２および図１３に示されるように、構造体３の全部または一部が、ランダム性を有するフラクタル構造を有していてもよい。すなわち、分岐位置から延びる複数本の直線の角度、太さおよび長さに、一定の範囲内でのばらつきがあってもよい。図１２の構造体３は、全体にわたってフラクタル構造がランダム性を有しており、図１３の構造体３は、その一部においてフラクタル構造がランダム性を有している。
生体内に存在するフラクタル構造は、形状や太さ、方向、サイズ、配列等においてランダム性を有する。このような生体内のフラクタル構造と同様のランダム性を構造体３の少なくとも一部のフラクタル構造に付与することで、組織構造の見えをさらにリアルに模擬することができる。
【００３５】
図１４、図１５および図１６に示されるように、多角形の環状線または円形の環状線からなるフラクタル構造においても、全体または一部がランダム性を有していてもよい。すなわち、環状線の太さ、形状、サイズおよび配列に、一定の範囲内でのばらつきがあってもよい。
図１２から図１６に例示した構造体３のフラクタル構造は、全ての構造パラメータにおいてランダム性を有しているが、１つのみの構造パラメータにおいてランダム性を有していてもよく、２以上の構造パラメータにおいてランダム性を有していてもよい。
【００３６】
本実施形態においては、構造体３が同一の深さに位置するように、各層４１，４２と平行に配置されることとしたが、これに代えて、図１７に示されるように、構造体３の深さが漸次変化するように、層４１内に傾けて配置されていてもよい。図２の構造体３の場合、構造体３は、Ｘ方向に傾いていてもよく、Ｙ方向に傾いていてもよい。
例えば、粘膜内の血管は、粘膜内の深さに応じて見え方が異なる。図１７の撮像用ファントム１によれば、深さの違いに基づく組織構造の見え方の違いを表現するために必要な光学撮像装置の画像性能（例えば、色分解能）を、ファントム画像に基づいて評価することができる。平坦な構造体３を傾けて配置することに代えて、湾曲した構造体を用いてよい。
【００３７】
本実施形態においては、人工的に作製される構造体３について説明したが、これに代えて、構造体３として、フラクタル構造を有する自然物を使用してもよい。
生体内に存在するフラクタル構造は、基本パターンの形状、方向、スケールにおいてランダム性を有する。このようなランダム性を有する構造の見えを、人工的な設計によってリアルに再現することは難しい。自然界に存在するフラクタル構造は、生体組織と同様にランダム性を有するので、自然物を用いることによって、フラクタル性を有する組織構造の見えをさらにリアルに模擬することができる。
【００３８】
自然物の一例としては、図１８および図１９に示されるように、天然の葉の葉脈５が挙げられる。葉脈５を用いることによって、血管の分岐構造および走行の見えをさらにリアルに模擬することができる。
このような撮像用ファントム１は、葉脈５を血液と同一または類似の光吸収特性を有する染料で染色し、葉脈５が染色された葉を層４１内に包埋することによって作製される。図１９は、実際に作製された撮像用ファントム１を撮影して取得された葉脈５の画像である。図１８の本体２は、胃の層構造を模擬した例であり、高さ方向の一側から順番に、上皮、粘膜下層、筋層、外膜をそれぞれ模擬した４つの層４１，４２，４３，４４から構成されている。葉は、上皮を模擬した層４１内に埋め込まれる。
【００３９】
本実施形態においては、構造体３が、２つの層４１，４２からなり、構造体３が第１の層４１のみに埋め込まれていることとしたが、層の数および構造体３が埋め込まれる層は、撮像用ファントム１が模擬する生体組織に応じて適宜変更可能である。例えば、本体２が１つのみの層、または、３つ以上の層から構成されていてもよく、構造体３が第１の層４１以外の層に埋め込まれていてもよい。
【００４０】
また、構造体３が、複数の層に埋め込まれていてもよい。
この場合、図２０に示されるように、複数の層４１，４２の各々に構造体３１，３２が埋め込まれていてもよい。さらに、複数の層４１，４２内の構造体３１，３２が、互いに異なるフラクタル構造を有していてもよい。生体内において、一般に、浅い層から深い層に向かって組織構造が大きくなる。したがって、複数の層４１，４２内の構造体３１，３２のフラクタル構造が、上側に配置される第１の層４１から下側に配置される第２の層４２に向かって順に大きくなっていることが好ましい。
あるいは、単一の構造体３が、複数の層４１，４２に及ぶように、本体２内に傾けて配置されていてもよい。
【００４１】
本実施形態においては、構造体３が、本体２の内部に埋め込まれていることとしたが、これに代えて、またはこれに加えて、図２１に示されるように、本体２の表面に形成されたフラクタル構造を有する凹凸構造から構造体３３が形成されていてもよい。図２２は、構造体３３における本体２の表面の断面形状を示している。
小腸の内壁は、輪状ひだと、該輪状ひだの表面に存在する多数の絨毛とからなるフラクタル性を有する組織構造を有する。図２１および図２２の構造体３３によれば、このようなフラクタル性を有する生体組織の表面構造を模擬することができる。
上述した実施形態および変形例は、適宜組み合わせて実施することができる。
【符号の説明】
【００４２】
１  撮像用ファントム
２  本体
３，３１，３２，３３  構造体
４１，４２，４３，４４  層
５  葉脈（構造体）
【図１】
2017191825.tif 000003
【図２】
2017191825.tif 000004
【図３】
2017191825.tif 000005
【図４】
2017191825.tif 000006
【図５】
2017191825.tif 000007
【図６】
2017191825.tif 000008
【図７】
2017191825.tif 000009
【図８】
2017191825.tif 000010
【図９】
2017191825.tif 000011
【図１０】
2017191825.tif 000012
【図１１】
2017191825.tif 000013
【図１２】
2017191825.tif 000014
【図１３】
2017191825.tif 000015
【図１４】
2017191825.tif 000016
【図１５】
2017191825.tif 000017
【図１６】
2017191825.tif 000018
【図１７】
2017191825.tif 000019
【図１８】
2017191825.tif 000020
【図１９】
2017191825.tif 000021
【図２０】
2017191825.tif 000022
【図２１】
2017191825.tif 000023
【図２２】
2017191825.tif 000024
【国際調査報告】
2017191825.tif 000025
2017191825.tif 000026
2017191825.tif 000027
2017191825.tif 000028